(57)【要約】      （修正有）【課題】寝具に設けたスピーカの位置を変化し難くすることができるスピーカ装着具及びスピーカ装置を提供する。【解決手段】ベッド７０に設けるスピーカ装置１００を有するスピーカ装着具１は、第１寝具（フレーム７２）の表面側と第１寝具に重ねられる第２寝具（マットレス７１）の裏面側との間に配置されるベース板１１と、スピーカ７が取り付けられる取付部１２と、を備える。取付部は、ベース板から第２寝具の表面側に向けて延在する。【選択図】図３
2019161369.tif 000002
【特許請求の範囲】
【請求項１】
第１寝具の表面側と第１寝具に重ねられる第２寝具の裏面側との間に配置されるベース板と、
スピーカが取り付けられる取付部と、を備え、
前記取付部は、前記ベース板から前記第２寝具の表面側に向けて延在することを特徴とする
スピーカ装着具。
【請求項２】
前記取付部は、前記第２寝具の頂部に沿って配置され、
前記取付部における前記第２寝具の頂部に沿った位置に前記スピーカが取り付けられる
請求項１に記載のスピーカ装着具。
【請求項３】
前記取付部は、前記第２寝具の頂部を経て前記第２寝具の表面にまで延在しており、
前記取付部における前記第２寝具の表面に応じた位置に、前記スピーカが取り付けられる
請求項１に記載のスピーカ装着具。
【請求項４】
前記取付部における前記第２寝具に横臥する利用者の脚側端部は、前記ベース板における前記利用者の脚側端部よりも前記利用者の頭部側に位置している
請求項３に記載のスピーカ装着具。
【請求項５】
前記取付部における前記第２寝具に横臥する利用者の脚側端部は、前記ベース板における前記利用者の脚側端部よりも前記利用者の脚部側に位置している
請求項３に記載のスピーカ装着具。
【請求項６】
前記取付部は、
スピーカを支持する支持片と、
前記第２寝具の頂部に沿って配置され、前記支持片と前記ベース板とを接続する接続片と、を備え、
前記支持片は、前記第２寝具の幅方向に沿った軸周りに回動可能となるように、前記接続片に対してヒンジ機構を介して接続されている
請求項１に記載のスピーカ装着具。
【請求項７】
前記取付部は、前記第２寝具に対する前記スピーカの相対位置を調整する位置調整構造を備える
請求項１〜６のうちのいずれか１項に記載のスピーカ装着具。
【請求項８】
請求項１〜７のうちのいずれか１項に記載のスピーカ装着具と、
前記スピーカ装着具の取付部に取り付けられたスピーカと、
を備えるスピーカ装置。
【発明の詳細な説明】
【技術分野】
【０００１】
本発明は、スピーカ装着具及びスピーカ装置に関する。
【背景技術】
【０００２】
病院などでは、患者が病室で音楽などを聴いて快適に過ごすことができるように、スピーカが取り付けられたベッドを設置することがある。スピーカが取り付けられたベッドとして、従来、ヘッドボードにスピーカが配設されたベッド装置がある（例えば、特許文献１参照）。
【先行技術文献】
【特許文献】
【０００３】
【特許文献１】特開２００８−２３７７２７号公報
【発明の概要】
【発明が解決しようとする課題】
【０００４】
上記特許文献１に開示されたベッド装置では、スピーカをヘッドボードに取り付けていることから、ベッドには、ヘッドボードを設けることが必要となる。しかし、病院で利用されるベッドでは、例えば、ベッドに横たわる患者を医師が診察することがあり、ヘッドボードが邪魔となることがあるので、ヘッドボードのないベッドが要望される。
【０００５】
ヘッドボードがないベッドでは、例えば、電気スタンドを立てるようにしてスピーカを設けることが考えられる。しかし、このようにスピーカを設けた場合には、スピーカがベッドからはみ出してしまい、やはり医師の診察の邪魔となることがある。また、スピーカが自重によって不安定となってずり下がってしまう可能性がある。特に、スピーカがずり下がる問題は、介護用ベッドなどのリクライニング機能を備えるベッドにおいて顕著である。
【０００６】
本発明が解決しようとする課題は、寝具に設けたスピーカの位置を変化し難くすることができるスピーカ装着具及びスピーカ装置を提供することである。
【課題を解決するための手段】
【０００７】
上記問題を解決するために、本発明の一態様は、第１寝具の表面側と第１寝具に重ねられる第２寝具の裏面側との間に配置されるベース板と、スピーカが取り付けられる取付部と、を備え、前記取付部は、前記ベース板から前記第２寝具の表面側に向けて延在するスピーカ装着具である。
【発明の効果】
【０００８】
本発明に係るスピーカ装着具及びスピーカ装置によれば、寝具に設けたスピーカの位置を変化し難くすることができる。
【図面の簡単な説明】
【０００９】
【図１】第１実施形態のスピーカ装置の斜視図である。
【図２】スピーカ装着具でスピーカをベッドに装着した状態の斜視図である。
【図３】スピーカ装置が取り付けられたベッドがリクライニングする前の側面図である。
【図４】スピーカ装置が取り付けられたベッドがリクライニングした後の側面図である。
【図５】第２実施形態のスピーカ装置が取り付けられたベッドの側面図である。
【図６】第３実施形態のスピーカ装置が取り付けられたベッドの側面図である。
【図７】第４実施形態のスピーカ装置が取り付けられたベッドの側面図である。
【発明を実施するための形態】
【００１０】
以下、本発明を適用したスピーカ装着具及びスピーカ装置の実施形態について、図面を参照して説明する。なお、各実施形態において、共通する要素、部材等について、同一の符号を付し、その説明を省略または簡略化することがある。また、各構成要素の厚さや寸法の比率は適宜調整されている。また、以下の説明において、ベッドに横臥する利用者の頭部が配置されている側を「頭部側」、脚部が配置される側を「脚側」という。また、頭部側と脚側とを結ぶ方向を、「横臥方向」といい、横臥方向に直交する方向を「幅方向」という。また、特別に示した場合を除き、各方向はベッドがリクライニングしていないときの方向を示す。
【００１１】
［第１実施形態］
まず、本発明の第１実施形態について説明する。図１は、第１実施形態のスピーカ装置の斜視図、図２は、スピーカ装着具でスピーカをベッドに装着した状態の斜視図である。図１に示すように、スピーカ装置１００は、スピーカ装着具１及びスピーカ７を備えている。スピーカ装着具１は、ベース板１１と取付部１２を備えている。スピーカ装着具１は、図２に示すように、ベッド７０に取り付けて使用される。
【００１２】
ベッド７０は、寝具であるマットレス７１と、マットレス７１を支持するフレーム７２とを備えている。なお、本明細書において寝具とは、マットレスや布団等、利用者が掛けたり敷いたりして、厚さ方向に重ねて使用することが可能な寝具を意味し、例えば、寝間着などのように、利用者が着用するものは含まない。
スピーカ装着具１は、ベース板１１がマットレス７１とフレーム７２とによって挟み込まれてベッド７０に取り付けられている。すなわち、ベース板１１は、マットレス７１とフレーム７２との間に配置される。ここで、フレーム７２は、「第１寝具」の一例であり、マットレス７１は、「第２寝具」の一例である。また、「第１寝具」、及び「第２寝具」は、ある程度の厚みがあり、「第１寝具」と「第２寝具」とを用いることでスピーカ７を支持できるものであれば、他の寝具であってもよい。
また、スピーカ装着具１には、略円筒形状のスピーカ７が装着される。スピーカ７の裏側（マットレス７１が設けられた側の反対側）には、コード等が接続されるコネクタ７Ａが設けられている。
【００１３】
ベッド７０は、リクライニング式である。図３には、ベッド７０がリクライニングしていない状態を示している。マットレス７１は、横臥方向の略中央位置で折れ曲がり可能となっている。フレーム７２の横臥方向の略中央部には、図示しないヒンジ構造が設けられている。リクライニングしていない状態からフレーム７２に設けられたヒンジ構造によってフレーム７２の頭部側が移動すると、図４に示すように、マットレス７１の頭部側は、マットレス７１の脚側を回転軸として上昇する。なお、ベッドは、リクライニング式でなくてもよい。
【００１４】
図１に示すように、スピーカ装着具１におけるベース板１１は、薄板状であり、略矩形の脚側両端部が面取りされた形状をなしている。ベース板１１の幅方向の長さは、マットレス７１に横臥する利用者の頭部の幅よりも長い長さである。ベース板１１におけるベッド７０に利用者が横臥する方向（以下「横臥方向」という）の長さは、マットレス７１に横臥する利用者の首部の配置位置よりも脚側まで延在する長さである。このため、ベース板１１は、マットレス７１の裏側であって、マットレス７１に横臥する利用者が使用する枕の下部に配置される。ベース板１１は、略水平に配置されている。
【００１５】
取付部１２は、接続片１３及び支持片１４を備えている。接続片１３は、板状をなし、ベース板１１及び支持片１４を接続する。図３に模式的に示すように、接続片１３は、ベース板１１に対して側面視して略直角をなして配置されている。接続片１３は、マットレス７１の頂部（頭部側端部）に沿って、略鉛直方向を向いて配置されている。なお、マットレス７１の頂部とは、マットレス７１の表面から見て、利用者の頭部が位置する側におけるマットレス７１の表面と直交する面の部分である。取付部１２は、ベース板１１からマットレス７１の表面側に向けて延在している。
【００１６】
支持片１４は、接続片１３におけるベース板１１が接続された側と反対側に接続されている。支持片１４は、支持片中央部１４Ａと支持片端部１４Ｂを備えている。支持片中央部１４Ａは、略水平に配置され、接続片１３に対して側面視して略直角をなしている。支持片端部１４Ｂは、支持片中央部１４Ａの幅方向の両側端部にそれぞれ設けられている。
【００１７】
支持片端部１４Ｂは、いずれも支持片中央部１４Ａに対して略直角をなしており、鉛直方向に沿って配置されている。ベース板１１及び取付部１２は１枚の板材、例えば金属製、例えばアルミ製の板材を折り曲げて形成されている。このため、薄板を折曲加工することでスピーカ装着具１を容易に製造できる。ベース板１１及び取付部１２の素材は、アルミ以外の金属でもよいし非金属でもよく、スピーカ７の重量に耐えられる剛性を有する材質であればよい。
【００１８】
支持片中央部１４Ａの両側にそれぞれ設けられた支持片端部１４Ｂの横臥方向中央部には、図３に示す曲線状の凹部１４Ｃが形成されている。凹部１４Ｃの曲率は、スピーカ７の曲率と略同一とされている。このため、スピーカ７は、支持片中央部１４Ａの両側にそれぞれ設けられた支持片端部１４Ｂの凹部１４Ｃに嵌め込まれて位置決めされる。
【００１９】
支持片中央部１４Ａには、面ファスナーＦが取り付けられている。また、スピーカ７にも図示しない面ファスナーが取り付けられている。支持片中央部１４Ａ及びスピーカにそれぞれ取り付けられた面ファスナーによって、取付部１２にスピーカ７が固定されて取り付けられる。
【００２０】
スピーカ７の上部は、マットレス７１の表面よりも上方に位置している。また、スピーカ７の高さ方向の中心部は、マットレス７１の表面よりも下方に位置している。スピーカ７の重心も同様に、マットレス７１の表面よりも下方に位置している。スピーカ７の横臥方向脚側端部は、マットレス７１の頂部に接触している。
【００２１】
本実施形態のスピーカ装置１００では、ベース板１１は、マットレス７１の裏側に配置されている。このため、ベース板１１は、マットレス７１及びマットレス７１に横臥する利用者とフレーム７２の間に挟み込まれる。したがって、ベース板１１は、マットレス７１利用者との重みによりベッド７０にしっかり保持された状態となる。ベース板１１の頭部側端部には、取付部１２が設けられており、取付部１２の支持片１４には、スピーカ７が取り付けられている。この取付部１２は、ベース板１１からマットレス７１の表面側に向けて延在している。このため、取付部１２をマットレス７１の裏面側から表面側までの間の側面部分に沿うようにしてマットレス７１に対して装着させることができ、取付部１２に取り付けたスピーカ７の位置を変化し難くすることができる。また、取付部１２がマットレス７１の表面側に向けて延在しているため、マットレス７１の下面よりも高い位置でスピーカ７を支持するので、取付部１２に対するスピーカ７の取付が容易となる。したがって、取付部１２に対して、スピーカを面ファスナーによって固定しやすくなるので、安定してスピーカ７をマットレス７１（ベッド７０）に取り付けることができる。なお、支持片１４に対するスピーカ７の固定は、面ファスナー以外によって行ってもよく、例えばボルト止めしてもよいし、嵌め合わせなどとしてもよい。
【００２２】
また、スピーカ装置１００では、スピーカ７がマットレス７１の頂部に沿った位置に配置されている。このため、スピーカ７がマットレス７１から見て頭部方向及び上方向に大きく飛び出さないようにすることができる。したがって、例えば、ベッド７０の周りでの作業にスピーカ７が邪魔になりにくくすることができる。このため、例えばベッド７０を病院に設置した場合に、ベッド７０の横臥する患者を医者が診断する際にも、スピーカ７が診断の邪魔になりにくくなるようにすることができる。さらには、マットレス７１に対してシーツなどをかける場合に、スピーカ装置１００が邪魔にならないようにすることができる。
【００２３】
また、スピーカ７がスピーカ装着具１によってベッド７０に装着されている。このため、図４に示すように、ベッド７０がリクライニングした状態となっても、スピーカ７が移動しにくくなるようにすることができる。このため、リクライニング時にスピーカ７が利用者の頭上から落ちてくることを抑制できる。
【００２４】
また、スピーカ７の高さ方向の中央部及び重心がマットレス７１の表面よりも下方に位置している。このため、ベッド７０がリクライニングしたとしても、スピーカ７がマットレス７１の表面に転がり落ちにくくすることができる。よって、ベッド７０をリクライニング状態で使用する利用者の側方にスピーカ７が落下するのを抑制することができ、スピーカ７が利用者の邪魔になりにくくすることができる。さらには、スピーカ装着具１は、マットレス７１の頂部で支えられている。このため、スピーカ装着具１のずれを抑制することができる。
【００２５】
また、スピーカ装着具１は、ベース板１１がベッド７０に挟み込まれることでベッド７０に取り付けられる。このため、ベース板１１をマットレス７１とフレーム７２との間に挿入するのみでスピーカ装着具１をベッド７０に取り付けることができる。したがって、スピーカ装着具１をベッド７０に取り付ける手間を小さくすることができる。また、スピーカ装着具１をベッド７０に対して素早く取り付けることができる。
【００２６】
また、ベース板１１は、薄板状である。このため、ベッド７０におけるマットレス７１とフレーム７２との間に容易に差し込むことができる。また、ベース板１１は、利用者の頭部の下側（裏側）に配置されることになるが、ベース板１１による凹凸を少なくできるので、利用者に与える違和感を小さくするまたはなくすことができる。
【００２７】
なお、スピーカ装着具１の大きさは、スピーカ７を装着するベッド７０、特にマットレス７１の形状や大きさに合わせればよい。特に、マットレス７１の頂部の高さに合わせて、スピーカ装着具１の取付部１２における接続片１３の長さを調整してもよい。マットレス７１の頂部の高さに合わせて接続片１３の長さを調整することにより、スピーカ７から出力される音を利用者が聞きやすい高さ位置にスピーカ７を配置することができる。
【００２８】
また、スピーカ７は、円筒形状をなしているが、円筒形状以外の形状をなしていてもよい。例えば、略直方体状でもよいし、鼓状（太鼓形状）でもよい。また、スピーカ７には、アンプなどが内蔵されていてもよい。また、スピーカ７は、無線方式であってコネクタ７Ａが設けられていなくてもよい。
【００２９】
［第２実施形態］
次に、本発明の第２実施形態について説明する。図５は、第２実施形態のスピーカ装置が取り付けられたベッドの側面図である。図５に示すように、第２実施形態に係るスピーカ装置２００は、スピーカ装着具２と、スピーカ８を備えている。スピーカ装着具２は、ベース板２１及び取付部２２を備えている。ベース板２１及び取付部２２は、上記第１実施形態のスピーカ装着具１と同様、１枚の板材、例えば金属製、例えばアルミ製の板材を折り曲げて形成されている。なお、ベッド７０は、上記第１実施形態と共通である。
【００３０】
ベース板２１は、上記第１実施形態のベース板１１と同様の構成を有している。取付部２２は、接続片２３及び支持片２４を備えている。取付部２２における接続片２３は、略矩形をなしており、ベース板２１と支持片２４を接続する。接続片２３の下側辺にベース板２１が接続されている。接続片２３は、ベース板２１に対して側面視して略直角をなして配置されている。接続片２３は、ベース板２１からマットレス７１の表面側に向けて、ベッド７０のマットレス７１の頂部に沿って、略鉛直方向を向いて配置されている。
【００３１】
接続片２３の上側辺には、支持片２４が接続されている。支持片２４は、接続片２３に対して側面視して略直角をなして配置されている。こうして、スピーカ装着具２の取付部２２は、マットレス７１の頂部を経てマットレス７１の表面まで延在している。スピーカ装着具２の側面視した形状は、接続片２３が鉛直方向に沿って延在し、接続片２３の下辺からベース板２１が利用者の脚側に向けて延び、接続片２３の上辺から支持片が利用者の脚側に向けて延びる形状となっている。支持片２４は、略矩形をなしている。支持片２４の表面には、スピーカ８が取り付けられている。スピーカ８は薄型スピーカであり、出力部が上方を向くようにして支持片２４に取り付けられている。スピーカ８は、マットレス７１の表面に応じた位置にある支持片２４に対して、例えば面ファスナーによって固定されて取り付けられている。
【００３２】
支持片２４は、略水平に配置され、ベース板２１に対して略平行に配置されている。支持片２４の横臥方向の長さは、ベース板２１の横臥方向の長さよりも短い。このため、支持片２４の脚側端部は、ベース板２１の脚側端部よりも頭部側に位置している。支持片２４の上面には、例えば枕Ｍが載置され、枕Ｍの下側（裏側）にスピーカ８が配置される。
【００３３】
本実施形態のスピーカ装置２００は、上記第１実施形態と共通する作用効果を奏する。また、スピーカ装置２００は、平行に配置されたベース板２１と支持片２４が接続片２３で接続されている。ベース板２１がベッド７０のマットレス７１及びフレーム７２に挟まれる一方で、マットレス７１をベース板２１と支持片２４で挟み込んでいる。このため、スピーカ装着具２をマットレス７１に対して確実に取り付けることができ、ベッド７０に対するスピーカ８のずれを抑制することができる。
【００３４】
また、スピーカ８を枕Ｍの裏側に配置された支持片２４の表面に設けているので、スピーカ８から出力される音を利用者が聞きやすくすることができる。また、支持片２４は、薄板状であるので、枕Ｍの裏側に配置したとしても、利用者に与える違和感を小さくまたはなくすることができる。
【００３５】
また、スピーカ装着具２は、側面視して略コ字形状とされている。このため、ベッド７０をリクライニングさせたときであっても、スピーカ装着具２をマットレス７１に安定して取り付けた状態とすることができる。したがって、ベッド７０に対するスピーカ８の装着状態を安定させることができる。
【００３６】
なお、上記の第２実施形態では、スピーカ８が支持片２４に対して面ファスナーによって固定されて取り付けられているが、他の態様で取り付けられていてもよい。例えば、接着剤やテープ等で固定されていてもよいし、嵌め込み式などで固定されて取り付けられていてもよい。また、スピーカ装着具２によってベッド７０に装着されたスピーカ８の上にシーツを被せるなどして利用してもよい。また、スピーカ装着具２は、１枚の薄板を折り曲げてベース板２１、接続片２３、及び支持片２４とする態様以外の態様としてもよい。例えば、支持片２４を柔らかい素材で形成して、接続片２３に接続させるようにしてもよい。この場合、枕Ｍの裏側に柔らかい部材が配置されるので、利用者に与える違和感をさらに小さくまたはなくすことができる。
【００３７】
［第３実施形態］
次に、本発明の第３実施形態について説明する。図６は、第３実施形態のスピーカ装置が取り付けられたベッドの側面図である。図６に示すように、第３実施形態に係るスピーカ装置３００は、スピーカ装着具３と、スピーカ８を備えている。スピーカ装着具３は、ベース板３１及び取付部３２を備えている。ベース板３１及び取付部３２は、上記第１実施形態のスピーカ装着具１と同様、１枚の板材を折り曲げて形成されている。ベッド７０は、上記第１実施形態と共通である。
【００３８】
取付部３２における接続片３３及び支持片３４は、上記第２実施形態と同様の構成を有している。ベース板３１は、略矩形状をなしており、頭部側で取付部３２の接続片３３に接続されている。ベース板３１は、接続片３３に対して側面視して略直角をなして配置されている。
【００３９】
スピーカ装着具３は、上記第２実施形態のスピーカ装着具２と同様、ベース板３１及び取付部３２の接続片３３及び支持片３４によって、側面視して略コ字形状をなしている。ベース板３１の横臥方向の長さは、支持片３４の横臥方向の長さよりも短い。このため、ベース板３１の脚側端部は、支持片３４の脚側端部よりも頭部側に位置している。ベース板３１は、例えば枕Ｍが載置される位置よりも頭部側の位置まで延在している。
【００４０】
本実施形態のスピーカ装置３００は、上記第１実施形態と共通する作用効果を奏する。また、スピーカ装置３００は、第２実施形態と同様、スピーカ装着具３が側面視して略コ字形状をなすので、マットレス７１に対して確実に取り付けることができ、ベッド７０に対するスピーカ８のずれを抑制することができる。
【００４１】
また、スピーカ装置３００において、ベース板３１は、スピーカ８が取り付けられた支持片３４よりも短い。このため、スピーカ装着具３の小型化を図ることができる。また、ベース板３１の脚側端部は、支持片３４の脚側端部よりも頭部側に位置している。ベース板３１は、枕Ｍが載置される位置から外れて配置されるので、ベッド７０の利用者に対する違和感をさらに小さくまたはなくすことができる。
【００４２】
［第４実施形態］
次に、本発明の第４実施形態について説明する。図７は、第４実施形態のスピーカ装置が取り付けられたベッドの側面図である。図７に示すように、第４実施形態に係るスピーカ装置４００は、スピーカ装着具４と、スピーカ８を備えている。スピーカ装着具４は、ベース板４１及び取付部４２を備えている。ベッド７０は、上記第１実施形態と共通である。
【００４３】
取付部４２は、接続片４３及び支持片４４を備えている。このうちの接続片４３は、上記第１実施形態と同様、１枚の薄板を折曲加工することによって形成されている。支持片４４は、ヒンジ機構４５を介して接続片４３に接続されている。支持片４４は、ヒンジ機構４５によって幅方向に沿った軸周りに回動可能とされている。支持片４４は、薄板状であり、矩形をなしている。支持片４４の上には、上記第２実施形態と同様、スピーカ８が取り付けられている。
【００４４】
支持片４４は、ヒンジ機構４５によって、約２７０°回動可能とされている。このため、支持片４４は、実線で示す第１位置と、仮想線で示す第２位置と、接続片４３に略平行となる図示しない第３位置との間で移動可能とされている。第１位置にある支持片４４は、第３実施形態の支持片３４と同様に、水平であり、ベース板４１（ベース部材板）に対して略平行に配置される。支持片４４を第２位置に移動させることにより、支持片４４は、マットレス７１の上から退避した位置に配置される。
【００４５】
本実施形態のスピーカ装置４００は、上記第１実施形態と共通する作用効果を、特に支持片４４が第１位置にあるときに奏する。また、スピーカ装置４００は、第１位置から第２位置まで移動可能である。このため、スピーカ装置４００を利用していないときに支持片４４を第２位置まで退避させておくことにより、スピーカ８による違和感をなくすことができる。
【００４６】
特に、ベッド７０をリクライニングして使用する場合には、枕Ｍが脚側に下降するように移動しようとしたり、利用者の姿勢的に枕Ｍを外してベッド７０を使用したりすることがある。これらの場合に、支持片４４が第１位置にある状態となっていると、スピーカ８による違和感を利用者に与えることがある。
【００４７】
この点、支持片４４を第２位置に退避させることにより、リクライニング時であって、枕Ｍがない状態にあるときに、スピーカ８に利用者の頭が触れないようにすることができ、利用者に違和感を与えないようにすることができる。また、支持片４４を第３位置まで退避させることにより、支持片４４は、接続片４３の略平行となるように配置される。このため、支持片４４に外力がかかることによってヒンジ機構４５が破損する事態を抑制することができる。
【００４８】
以上、本発明の実施形態について、図面を参照して詳述してきたが、具体的な構成はこの実施形態に限られるものではなく、この発明の要旨を逸脱しない範囲の設計変更等も含まれる。
【００４９】
例えば、上記各実施形態における取付部において、マットレス７１に対するスピーカ７，８の相対位置を調整する位置調整構造を設けるようにしてもよい。例えば、第１実施形態における取付部１２の接続片１３の長さ（鉛直方向の長さ）を調整する位置調整構造を設けてもよい。接続片１３の位置を調整することにより、利用者とスピーカ７，８との距離を調整できるので、利用者の嗜好に応じた位置にスピーカ７，８を配置することができる。また、接続片１３に対する支持片１４の高さ位置を調整可能としてもよい。
【００５０】
また、第２実施形態における取付部２２の接続片２３の長さを調整する位置調整構造を設けてもよいし、支持片２４の長さを調整する位置調整構造を設けてもよい。この場合にも利用者とスピーカ７，８との距離を調整できるので、利用者の嗜好に応じた位置にスピーカ７，８を配置することができる。また、接続片２３の長さを調整可能とすることにより、ベース板２１と支持片２４との距離を調整することができる。このため、例えば、スピーカ装着具２をベッド７０に取り付けた後に、ベース板２１と支持片２４との間の距離を短くすることにより、ベース板２１と支持片２４とによってマットレス７１を保持することができる。このため、スピーカ装着具２をベッド７０に安定して取り付けることができる。これらの位置調整構造は、手動式でもよいし自動式でもよい。また、位置調整は、スピーカ装着具をベッド７０に取り付ける前に行ってもよいし、取り付けた後に行ってもよい。
【符号の説明】
【００５１】
１〜４…スピーカ装着具、７，８…スピーカ、１１…ベース板、１２…取付部、１３…接続片、１４…支持片、４５…ヒンジ機構、７０…ベッド、７１…マットレス、７２…フレーム、１００〜４００…スピーカ装置
【図１】
2019161369.tif 000003
【図２】
2019161369.tif 000004
【図３】
2019161369.tif 000005
【図４】
2019161369.tif 000006
【図５】
2019161369.tif 000007
【図６】
2019161369.tif 000008
【図７】
2019161369.tif 000009